(57)【要約】【課題】装着時の違和感を軽減するなどの目的のため、吸収性物品を個装する際に、フラップ部に生じる折り癖やシワを防止した吸収性物品を提供する。【解決手段】透液性表面シート３と裏面シート２との間に吸収体４が介在された本体部分の両側部に夫々、吸収体４が介在しないフラップ部が形成され、前記フラップ部が夫々、前記本体部分側に折り返されるとともに、幅方向折り線Ｌ１、Ｌ２の位置にて長手方向に折り畳まれ個装状態とされる生理用ナプキン１において、前記生理用ナプキン１は、展開状態において、前記幅方向折り線Ｌ１位置に対応する領域の両側縁間の幅方向長さＢＢが、その前後領域の幅方向長さＡＢより相対的に小さくなるように形成する。【選択図】図１
2010082061.tif 000002
【特許請求の範囲】
【請求項１】
透液性表面シートと裏面シートとの間に吸収体が介在された本体部分の両側部に夫々、吸収体が介在しないフラップ部が形成され、前記フラップ部が夫々、前記本体部分側に折り返されるとともに、幅方向折り線の位置にて長手方向に折り畳まれ個装状態とされる吸収性物品において、
前記吸収性物品は、展開状態において、前記幅方向折り線位置に対応する領域の両側縁間の幅方向長さが、その前後領域の幅方向長さより相対的に小さくなるように形成されていることを特徴とする吸収性物品。
【請求項２】
前記幅方向折り線位置に対応する領域の前記フラップ部の側縁に、その前後領域より相対的に凹んだ凹部が設けられることにより、展開状態において、前記幅方向折り線位置に対応する領域の両側縁間の幅方向長さが、その前後領域の幅方向長さより相対的に小さくなるように形成されている請求項１記載の吸収性物品。
【請求項３】
前記フラップ部が夫々、前記吸収体側縁より外側の長手方向折り線の位置にて前記本体部分側に折り返され、
展開状態において、前記長手方向折り線と前記吸収性物品の外形線とが交差する部位において、内側に凹んだ凹部が形成されている請求項１、２いずれかに記載の吸収性物品。
【請求項４】
前記フラップ部には、装着時に下着のクロッチ部分を巻き込むようにして固定されるウイング状フラップと、これより後側で装着時に下着の臀部内面側に固定されるヒップホールド用フラップとが形成され、
前記ヒップホールド用フラップに前記幅方向折り線が位置し、前記ウイング状フラップの後側付け根部における幅方向長さが極小となる外形線上の点と、前記ヒップホールド用フラップにおける幅方向長さが極大となる外形線上の点とを結んだ直線が長手方向線に対して外側に１０°〜１５°の範囲内で傾斜している請求項１〜３いずれかに記載の吸収性物品。
【発明の詳細な説明】
【技術分野】
【０００１】
本発明は、経血やおりものなどを吸収するための生理用ナプキン、パンティライナー、失禁パッド等の女性用吸収性物品に関する。
【背景技術】
【０００２】
従来より、生理用ナプキン、パンティライナー、おりものシート、失禁パッドなどの吸収性物品５０としては、例えば図７に示されるように、ポリエチレンシートまたはポリエチレンラミネート不織布などからなる不透液性の裏面シート５１と、不織布または透孔性プラスチックシートなどからなる透液性の表面シート５２との間に綿状パルプなどからなる吸収体５３が介在された本体部分の両側部に夫々、装着時に下着のクロッチ部分を巻き込むようにして固定されるウイング状フラップ５４、５４が形成されるとともに、これより後側の前記本体部分の両側部に夫々、装着時に下着の臀部内面側に固定されるヒップホールド用フラップ５５、５５が形成されたものが知られている。
【０００３】
この種の吸収性物品５０では、装着状態時にズレ止めを図るために、例えば前記本体部分の非肌当接面側（裏面シート５１の外面）に１または複数条の粘着剤層５６…が形成されるとともに、前記ウイング状フラップ５４、５４及びヒップホールド用フラップ５５、５５の裏面シート５１側の面（外面）にそれぞれ粘着剤層５７、５７及び５８、５８が設けらている。
【０００４】
前記吸収性物品５０を下着３０に固定する際には、図８に示されるように、吸収性物品５０を局所にあてがい、側方に突出する前記ウイング状フラップ５４、５４を下着より取り出し、両ウイング状フラップ５４、５４を折返し線ＲＬ、ＲＬで折返し、下着のクロッチ部分を巻き込むようにしながら前記ウイングズレ止め粘着剤層５７、５７を下着３０の股間部外面に接着すると同時に、前記ヒップホールド用フラップ５５、５５を臀部部分にて拡げてヒップズレ止め粘着剤層５８、５８を下着３０の臀部内面側に接着するようにする。
【０００５】
一方、前記吸収性物品５０を個装するに際しては、両側部のフラップ部５４、５５を内側に折り返した上で、前記粘着剤層５６…、５７…、５８…を紙又はフィルムからなる剥離紙によって被覆するとともに、吸収性物品５０の外面側に包装シートを配置し、吸収性物品５０、剥離紙及び包装シートを共に長手方向に三つ折りなどの複数折りとし、側縁部分をヒートシールするとともに、開封部をタグテープ等により止着するようにしている。
【０００６】
しかしながら、吸収性物品５０を上述のような個装状態に折り畳むと、開封したとき、特に両側部のフラップ部に折り癖やシワが残ってしまい、装着感の悪化の原因となっていた。
【０００７】
かかる折り癖やシワの発生を防止するため、従来より種々の形態のものが提案されている。例えば、下記特許文献１では、吸収性本体の長手方向の左右両側縁部のフラップを肌当接面側に折り畳んで個装され、フラップの折り畳み軸及び／又はその近辺に凹凸加工を施した吸収性物品の包装構造が開示されている。
【０００８】
また、下記特許文献２では、長手方向に１回以上折り畳んで個包装されることで後部ウイング内に幅方向に延びる折り目が形成され、この後部ウイング内の折り目が含まれないように、前記後部ウイング内に曲げ強度が高い高剛性部位を設けた吸収性物品が開示されている。
【特許文献１】特開２００６−１９２２６１号公報
【特許文献２】特開２００８−１８８１８１号公報
【発明の開示】
【発明が解決しようとする課題】
【０００９】
しかしながら、上記特許文献１の場合は、両側部のフラップを肌当接面側に折り畳む際の折り畳み軸の近辺に凹凸加工を施したり、フラップ部の肌当接面側への折り畳み軸と、生理用ナプキン及び包装シートを長手方向と直交する方向に折り畳む折り畳み軸との交差した領域に凹凸形状パターンを配置したりすることによって、皺を分散してこの領域での強い折り皺を生じないようにしたものである。すなわち、このような凹凸加工をすることによって、フラップの折り畳み軸周辺での折り皺は軽減できるかもしれないが、フラップ部の両側端部に生じる折り癖やシワは防止することができない。
【００１０】
また、上記特許文献２の場合は、折り目が含まれないように前記高剛性部位が設けられているため、最も折り癖やシワが発生しやすい折り目部分の剛性が低く、この折り目部分の折り癖やシワを防止する対策とはなっていない。
【００１１】
そこで本発明の主たる課題は、装着時の違和感を軽減するなどの目的のため、吸収性物品を個装する際に、フラップ部に生じる折り癖やシワを防止した吸収性物品を提供することにある。
【課題を解決するための手段】
【００１２】
前記課題を解決するために請求項１に係る本発明として、透液性表面シートと裏面シートとの間に吸収体が介在された本体部分の両側部に夫々、吸収体が介在しないフラップ部が形成され、前記フラップ部が夫々、前記本体部分側に折り返されるとともに、幅方向折り線の位置にて長手方向に折り畳まれ個装状態とされる吸収性物品において、
前記吸収性物品は、展開状態において、前記幅方向折り線位置に対応する領域の両側縁間の幅方向長さが、その前後領域の幅方向長さより相対的に小さくなるように形成されていることを特徴とする吸収性物品が提供される。
【００１３】
上記請求項１記載の発明では、吸収性物品は、展開状態において、前記幅方向折り線位置に対応する領域の両側縁間の幅方向長さが、その前後領域の幅方向長さより相対的に小さくなるように形成されているため、フラップ部を夫々、前記本体部分側に折り返すとともに、幅方向折り線の位置にて長手方向に折り畳んで個装状態としたときに、幅方向折り線位置におけるフラップ部がダボついてシワが形成されることが大幅に軽減され、このため開封後にフラップ部を展開してもフラップ部に折り癖やシワが残らず、違和感なく装着することができるようになる。
【００１４】
請求項２に係る本発明として、前記幅方向折り線位置に対応する領域の前記フラップ部の側縁に、その前後領域より相対的に凹んだ凹部が設けられることにより、展開状態において、前記幅方向折り線位置に対応する領域の両側縁間の幅方向長さが、その前後領域の幅方向長さより相対的に小さくなるように形成されている請求項１記載の吸収性物品が提供される。
【００１５】
上記請求項２記載の発明は、上記請求項１記載の幅方向長さとするための具体的な構造として、前記幅方向折り線位置に対応する領域の前記フラップ部の側縁に、その前後領域より相対的に凹んだ凹部を設けるようにしたものである。
【００１６】
請求項３に係る本発明として、前記フラップ部が夫々、前記吸収体側縁より外側の長手方向折り線の位置にて前記本体部分側に折り返され、
展開状態において、前記長手方向折り線と前記吸収性物品の外形線とが交差する部位において、内側に凹んだ凹部が形成されている請求項１、２いずれかに記載の吸収性物品が提供される。
【００１７】
上記請求項３記載の発明では、両側のフラップ部を幅方向に折り畳んだ際に、その前後端縁に形成される折り皺を防止するために、前記長手方向折り線と前記吸収性物品の外形線とが交差する部位において、内側に凹んだ凹部を形成したものである。
【００１８】
請求項４に係る本発明として、前記フラップ部には、装着時に下着のクロッチ部分を巻き込むようにして固定されるウイング状フラップと、これより後側で装着時に下着の臀部内面側に固定されるヒップホールド用フラップとが形成され、
前記ヒップホールド用フラップに前記幅方向折り線が位置し、前記ウイング状フラップの後側付け根部における幅方向長さが極小となる外形線上の点と、前記ヒップホールド用フラップにおける幅方向長さが極大となる外形線上の点とを結んだ直線が長手方向線に対して外側に１０°〜１５°の範囲内で傾斜している請求項１〜３いずれかに記載の吸収性物品が提供される。
【００１９】
上記請求項４記載の発明では、ヒップホールド用フラップをセーラーで折り畳む際、フラップ部をシワ無く折り込みやすくするために、上記各点を結んだ直線が長手方向線に対して外側に１０°〜１５°の範囲内で傾斜するようにしたものである。
【発明の効果】
【００２０】
以上詳説のとおり本発明によれば、吸収性物品を個装する際に、フラップ部に生じる折り癖やシワが防止でき、装着時の違和感を軽減することができるようになる。
【発明を実施するための最良の形態】
【００２１】
以下、本発明の実施の形態について図面を参照しながら詳述する。図１は本発明に係る生理用ナプキン１を展開状態で包装シート１０に配置した一部破断展開図である。
【００２２】
前記生理用ナプキン１は、ポリエチレンシート、ポリプロピレンシートなどからなる不透液性の裏面シート２と、経血やおりものなどを速やかに透過させる透液性の表面シート３と、これら両シート２，３間に介在された綿状パルプまたは合成パルプなどからなる吸収体４と、表面側両側部にそれぞれ長手方向に沿って形成されたサイド不織布６とから構成されている。前記表面シート３と裏面シート２との間に吸収体４が介在された本体部分の長手方向両側縁部には夫々、前記裏面シート２とサイド不織布６との貼り合わせ部分により側方に突出し、前記吸収体４が介在しないフラップ部が形成されるとともに、このフラップ部には、装着時に下着のクロッチ部分を巻き込むようにして固定されるウイング状フラップＷ、Ｗと、これより後側の前記本体部分の長手方向両側縁部に、装着時に下着の臀部内面側に固定されるヒップホールド用フラップＷＢ、ＷＢとが含まれている。なお、前記吸収体４は形状保持および拡散性向上のためにクレープ紙で囲繞することができる。
【００２３】
また、前記ウイング状フラップＷ、Ｗの裏面シート２側の面（裏面）には、ウイングズレ止め粘着剤層８、８が形成されるとともに、ヒップホールド用フラップＷＢ、ＷＢの裏面シート２側の面（裏面）には、ヒップズレ止め粘着剤層８Ｂ、８Ｂが形成されている。また、前記表面シート３と裏面シート２との間に吸収体４が介在された本体部分の裏面には、下着に対する固定のために適宜の塗布パターンによって複数条の、図示例では３条の本体ズレ止め粘着剤層７，７…が形成されている。
【００２４】
かかる生理用ナプキン１は、図１に示されるように、前記本体ズレ止め粘着剤層７…を剥離可能に覆う剥離紙５を介して包装シート１０に配置された上で、図２に示されるように、前記ウイング状フラップＷ、Ｗ及びヒップホールド用フラップＷＢ、ＷＢが夫々、吸収体４の両側縁より外側の長手方向折り線Ｌ３、Ｌ３位置にて、前記表面シート３側の面（表面）に腹折りで折り返され、一対のウイングズレ止め粘着剤層８、８がウイングズレ止め粘着剤層用剥離紙１１によって剥離可能に覆われるとともに、一対のヒップズレ止め粘着剤層８Ｂ、８Ｂがヒップズレ止め粘着剤層用剥離紙１２によって剥離可能に覆われ、さらに幅方向折り線Ｌ１、Ｌ２の位置にて、長手方向に三つ折りに折り畳まれ、図３に示されるように側縁部分１０ａ、１０ａがヒートシールされるとともに、開封部がタグテープ１５により止着されて個装状態とされている。
【００２５】
本発明では特に、前記個装状態としたときに前記フラップ部の折り癖やシワを防止するため、前記フラップ部に、後段で詳述する所定の折り癖防止構造が施されている。
【００２６】
以下、さらに前記生理用ナプキン１等の構造について詳述すると、
前記裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。特に本発明では、フラップ部の折り癖やシワを軽減するため、前記裏面シート２として、プラスチックフィルムと不織布とを積層させたポリラミ不織布を使用して、フラップ部にコシを持たせるようにすることが望ましい。
【００２７】
次いで、前記表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２８】
前記裏面シート２と表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙を設ける場合には、結果的に透液性表面シート３と吸収体４との間にクレープ紙が介在することになり、吸収性に優れる前記クレープ紙によって体液を速やかに拡散させるとともに、これら経血等の逆戻りを防止するようになる。
【００２９】
また、前記吸収体４に合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３０】
前記サイド不織布６としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗ及び／又はヒップホールド用フラップＷＢ、ＷＢにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。特に本発明では、フラップ部の折り癖やシワを軽減するため、前記サイド不織布６として、折り癖が付きにくく、シワになりにくいと同時に、柔らかいエアースルー不織布を用いることが望ましい。
【００３１】
前記ズレ止め粘着剤層７，８，８Ｂを形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００３２】
前記ウイングズレ止め粘着剤層用剥離紙１１及びヒップズレ止め粘着剤層用剥離紙１２としては、ズレ止め粘着剤層８、８Ｂに対する当接面に対し、例えばシリコーン系樹脂、フッ素系樹脂、または四フッ化エチレン系樹脂などの離型処理液を塗工するかスプレー塗布し離型処理した紙またはプラスチックシートを用いることができる。なお、特別に離型処理をしなくても、実質的に粘着力の低下を招かないものであれば、フィルムそのものであっても、不織布そのものであっても良い。
【００３３】
前記生理用ナプキン１を個装する包装シート１０は、図２に示されるように、両側部のフラップ部を表面シート３側の面に折り返した状態のナプキン１の平面寸法より前後左右に所定の寸法だけ大きく形成される略矩形状のシートとされる。素材的には、プラスチックフィルム又は不織布などを使用することができるが、好ましくは、開封時の引裂音を小さくでき、携帯時に他の物との接触音を小さくできる点で薄くかつ柔軟性の高い不織布とするのがよい。前記包装シート１０の幅寸法は、後述する封鎖手段が確保されるような寸法とする。
【００３４】
前記包装シート１０のナプキン１側の当接面には、本体ズレ止め粘着剤層７…に対する当接面に対し、前述と同様の離型処理が施された剥離紙５が、前記ズレ止め粘着剤層７，７…の形成範囲を覆う大きさで、ホットメルト等の接着剤によって接着されている。前記剥離紙５の離型処理は、ナプキン１の前記粘着剤層７…を覆う面にだけ施されるようにし、その反対側の包装シート１０に接着される面には、前記包装シート１０との接着性を確保するため、前記離型処理を施さないようにする。包装シート１０と剥離紙５とは、適当な箇所で、具体的には長手方向に数箇所に亘って接着されている。
【００３５】
また、前記包装シート１０の短手側縁のほぼ中央には、タグテープ１５が設けられている。前記タグテープ１５は、紙又はプラスチックフィルム等からなる部材で、基端側が包装シート１０に剥離不能に接着され、突出部分に剥離可能な接着剤層が設けられ、且つその先端部分に非接着性の摘み部が形成されている。
〔折り癖防止構造について〕
前記折り癖防止構造は、図１に示されるように、生理用ナプキン１の展開状態において、幅方向折り線Ｌ１、Ｌ２の位置に対応する領域の両側縁間の幅方向長さが、その前後領域の幅方向長さより相対的に小さい構造としたものである。具体的には、生理用ナプキン１の後側の幅方向折り線Ｌ１においては、この折り線Ｌ１位置に対応する領域の両側縁間の幅方向長さＢＢが、その前後領域の幅方向長さＡＢより相対的に小さく、すなわちＡＢ＞ＢＢの関係となるように形成されている。また、前側の幅方向折り線Ｌ２においては、この折り線Ｌ２位置に対応する領域の幅方向長さＢが、その前後領域の幅方向長さＡより相対的に小さく（Ａ＞Ｂ）なるように形成されている。
【００３６】
ここで、図１に示される例では、各折り線Ｌ１、Ｌ２において、折り線の前後領域における幅方向長さをそれぞれＡ、ＡＢと略同等の長さで形成しているが、各折り線位置より前側領域における幅方向長さと後側領域における幅方向長さとを異ならせるようにしてもよい。例えば、図６に示される生理用ナプキン１Ｂでは、後側の幅方向折り線Ｌ１においては、この折り線Ｌ１位置より前側領域における幅方向長さＡ’Ｂが、後側領域における幅方向長さＡＢより小さくなるように形成され、前側の幅方向折り線Ｌ２においては、この折り線Ｌ２位置より前側領域における幅方向長さＡ’が、後側領域における幅方向長さＡより小さくなるように形成されている。
【００３７】
折り線位置の幅方向長さを、その前後領域の幅方向長さより相対的に小さくするには、幅方向折り線位置に対応する領域のフラップ部の両側縁に、その前後領域より相対的に凹んだ凹部を設けるようにする。図示例では、後側の幅方向折り線Ｌ１位置に対応する領域のフラップ部の両側縁には凹部２０が設けられ、前側の幅方向折り線Ｌ２位置に対応する領域のフラップ部の両側縁には凹部２１が設けられている。
【００３８】
このように、凹部２０、２１を設けて幅方向長さを上記関係とすることによって、図２に示されるように、表面側に折り畳まれるフラップ部の面積は、幅方向折り線Ｌ１、Ｌ２の領域においてその前後領域より小さくなるため、幅方向折り線Ｌ１、Ｌ２位置にて長手方向に折り畳んでも、折り線位置のフラップ部がダボついてシワが発生することが大幅に軽減されるようになり、したがって、開封後にフラップ部を展開しても、フラップ部に折り癖やシワが残らず、違和感なく装着することができるようになる。
【００３９】
図４は、他の形態の生理用ナプキン１Ａの展開図である。本形態の生理用ナプキン１Ａは、展開状態において、長手方向折り線Ｌ３、Ｌ３と生理用ナプキン１Ａの外形線とが交差する部位において、内側に凹んだ凹部２２、２３を形成したものである（詳細には図５の拡大図参照）。これによって、長手方向折り線Ｌ３、Ｌ３位置にてフラップ部を折り畳んでも、その前後端部に折り皺が発生せず、折り癖やシワを防止することができるようになる。
【００４０】
さらに、図６は、他の形態の生理用ナプキン１Ｂの展開図である。本形態の生理用ナプキン１Ｂは、特にヒップホールド用フラップＷＢ、ＷＢに幅方向折り線Ｌ１が位置する場合に好適な形態例であり、ウイング状フラップＷの後側付け根部における幅方向長さが極小となる外形線上の点Ｐ０と、ヒップホールド用フラップＷＢにおける幅方向長さＡＢ、Ａ’Ｂが極大となる外形線上の点Ｐ、Ｐ’とを結んだ直線Ｒが長手方向線Ｒ０に対して外側に１０°〜１５°の範囲内で傾斜して形成されるようにしたものである。これによって、ヒップホールド用フラップＷＢをセーラーで前側から後側に向かって折り畳む際、フラップ部の面積が折り始めが小さく後側に大きくなるように形成されるため、フラップ部が折り込みやすく、シワになりにくくなる。
【００４１】
〔他の形態例〕
(1)上記形態例では、両側のフラップ部が夫々、吸収体４の両側縁より外側の長手方向折り線Ｌ３、Ｌ３位置にて、表面シート３側の面に所謂腹折りで折り返されるようにしたが、両側のフラップ部が夫々、裏面シート２側の面に所謂背折りで折り返されるようにしても良い。
(2)上記形態例では、ナプキン本体の両側のフラップ部にウイング状フラップＷ、Ｗ及びヒップホールド用フラップＷＢ、ＷＢが形成されるナプキンとしたが、ヒップホールド用フラップＷＢ、ＷＢが形成されないナプキンでも、ウイング状フラップＷ、Ｗ及びヒップホールド用フラップＷＢ、ＷＢが形成されないナプキンでも同様に適用することができる。
【図面の簡単な説明】
【００４２】
【図１】本発明に係る生理用ナプキン１の一部破断展開図である。
【図２】生理用ナプキン１の個装要領を示す平面図である。
【図３】個装状態を示す斜視図である。
【図４】他の形態の生理用ナプキン１Ａの展開図である。
【図５】図４のＶ部拡大図である。
【図６】他の形態の生理用ナプキン１Ｂの展開図である。
【図７】従来の吸収性物品５０の展開図である。
【図８】吸収性物品５０の装着状態図である。
【符号の説明】
【００４３】
１…生理用ナプキン、２…裏面シート、３…表面シート、４…吸収体、５…剥離紙、７…本体ズレ止め粘着剤層、８…ウイングズレ止め粘着剤層、８Ｂ…ヒップズレ止め粘着剤層、１０…包装シート、１１…ウイングズレ止め粘着剤層用剥離紙、１２…ヒップズレ止め粘着剤層用剥離紙、１５…タグテープ、Ｌ１・Ｌ２…幅方向折り線、Ｌ３…長手方向折り線、Ｗ…ウイング状フラップ、ＷＢ…ヒップホールド用フラップ
【図１】
2010082061.tif 000003
【図２】
2010082061.tif 000004
【図３】
2010082061.tif 000005
【図４】
2010082061.tif 000006
【図５】
2010082061.tif 000007
【図６】
2010082061.tif 000008
【図７】
2010082061.tif 000009
【図８】
2010082061.tif 000010